(57)【要約】      （修正有）【課題】間接照明用の発光部をベッドのヘッドボードやサイドテーブル等の家具に取り付けるための加工の手間や取付けの手間が省けて、コストを低減できるコントロールパネルユニットを提供する。【解決手段】ベッド６１のヘッドボード６２の天面６３及び前面６４に跨がって設けられた取付け開口６５に取り付けるコントロールパネルユニット１の天板２２に、予め間接照明用の発光部５を組み込んでいる。【選択図】図１
0003151865.tif 000002
【実用新案登録請求の範囲】
【請求項１】
相手取付け家具(６)の天面(63)及び前面(64)に跨がって設けられた取付け開口(65)に嵌め込んで取り付けるコントロールパネルユニット(１)であって、天板(22)と前板(23)を具えたユニット基板(２)に照明用及び／又は機器操作用のスイッチ群(４)を具え、天板(22)に間接照明用の発光部(５)が組み込まれ、相手取付け家具(６)への固定手段(３)を有している、コントロールパネルユニット。
【請求項２】
発光部(５)の上面は、天板(22)の上面に高さが略揃っている、請求項１に記載のコントロールパネルユニット。
【請求項３】
発光部(５)は天板(22)に横長の開口(25)を設けて該開口を透光板(51)で塞ぎ、該透光板(51)の背面に透光板(51)の長さ方向に沿って複数のLEDライト(53)を配備して構成されている、請求項１又は２に記載のコントロールパネルユニット。
【請求項４】
ユニット基板(２)は、１枚の板を断面Ｌ型に屈曲して形成されている、請求項１乃至３の何れかに記載のコントロールパネルユニット。
【請求項５】
スイッチ群(４)の各スイッチは全て前板(23)に設けられている、請求項１乃至４の何れかに記載のコントロールパネルユニット。
【請求項６】
家具(６)の天面(63)と前面(64)に跨って、前記請求項１乃至５の何れかに記載のコントロールパネルユニット(１)を嵌め込むだけで位置合わせできる開口(65)を設け、該開口(65)にコントロールパネルユニット(１)を嵌めて、固定手段(３)によって固定している、コントロールパネルユニットを具えた家具。
【考案の詳細な説明】
【技術分野】
【０００１】
本考案は、ベッドのヘッドボードやサイドテーブルに組み込むコントロールパネルユニット及びコントロールパネルユニットを組み込んだ家具に関する。
【背景技術】
【０００２】
従来より主として業務用ベッドのヘッドボードやサイドテーブルに、複数の照明用スイッチ群及び／又はラジオ、時計等の機器用スイッチを具えたコントロールボックスを組み込むことが実施されている。
又、上記ベッドボードに間接照明用のライトを組み込むことも行われている(特許文献１)。
【先行技術文献】
【特許文献】
【０００３】
【特許文献１】特開２００２−３６９７２９
【考案の概要】
【考案が解決しようとする課題】
【０００４】
ベッドのヘッドボードに、コントロールパネルと間接照明のライトを組み込む場合、従来は別個の組込みとなり、又、間接照明の配線をコントロールパネルに繋ぐ等の現場配線作業も必要となり、ヘッドボートの加工や取付けのための作業工程が煩雑となり、コスト高を招来している。
本考案は、コントロールパネルに間接照明用の発光部を組み込んでおくことにより、ベッドのヘッドボードの加工や組立を簡素化してコストを低減できる、コントロールパネルユニット及び該ユニット組み込んだベッドやサイドテーブル等の家具を明らかにするものである。
【課題を解決するための手段】
【０００５】
請求項１は、相手取付け家具(６)の天面(63)及び前面(64)に跨がって設けられた取付け開口(65)に嵌め込んで取り付けるコントロールパネルユニット(１)であって、天板(22)と前板(23)を具えたユニット基板(２)に照明用及び／又は機器操作用のスイッチ群(４)を具え、天板(22)に間接照明用の発光部(５)が組込まれ、相手取付け家具(６)への固定手段(３)を有している。
【０００６】
請求項２は、請求項１のコントロールパネルユニット(１)において、発光部(５)の上面は、天板(22)の上面に高さが略揃っている。
【０００７】
請求項３は、請求項１又は２のコントロールパネルユニット(１)において、発光部(５)は天板(22)に横長の開口(25)を設けて該開口を透光板(51)で塞ぎ、該透光板(51)の背面に透光板の長さ方向に沿って複数のLEDライト(53)を配備して構成されている。
【０００８】
請求項４は、請求項１乃至３に記載のコントロールパネルユニットにおいて、ユニット基板(２)は、１枚の板を断面Ｌ型に屈曲して形成されている。
【０００９】
請求項５は、請求項１乃至４の何れかに記載のコントロールパネルユニットにおいて、スイッチ群(４)の各スイッチは全て前板(23)に設けられている。
【００１０】
請求項６のコントロールパネルユニット(１)を具えた家具(６)は、家具(６)自身の天面(63)と前面(64)に跨って、前記請求項１乃至４の何れかに記載のコントロールパネルユニット(１)を嵌め込むだけで位置合わせできる開口(65)を設け、該開口(67)にコントロールパネルユニット(１)を嵌めて、固定手段(３)によって固定している、コントロールパネルユニットを具えた家具。
【考案の効果】
【００１１】
請求項１のコントロールパネルユニット(１)は、該ユニット自身の天板(22)に間接照明用の発光部(５)を組み込んでいるから、コントロールパネルユニット(１)と別個に発光部(５)をベッド(61)のヘッドボード(62)やサイドテーブル(60)等の家具(６)に取り付けるための加工の手間や取付けの手間が省けて、取付けの作業性が向上してコストを低減できる。
【００１２】
請求項２のコントロールパネルユニット(１)は、発光部(５)の上面は、該ユニット(１)の天板(22)の上面に高さが略揃っているから、コントロールパネルユニット(１)の天板(22)上に本や雑誌を安定して載せることができる。
【００１３】
請求項３のコントロールパネルユニット(１)は、透光板(51)の光源(52)はLEDライト(53)であるから、光源(52)の取付けに大きなスペースを必要としない。このため、コントロールパネルユニット(１)を大型化せずに済むので、相手取付け家具(６)のデザイン的な制約を少なくできる。
【００１４】
請求項４のコントロールパネルユニット(１)のユニット基板(２)は、１枚の板を断面Ｌ型に屈曲して形成できるので低コストで製作できる。
【００１５】
請求項５のコントロールパネルユニット(１)は、スイッチ群(４)の各スイッチが全て前板(23)に設けられているから、見やすく、操作しやすい。
【００１６】
請求項６のコントロールパネルユニット(１)を具えた家具(６)は、該家具(６)の天面(63)と前面(64)に跨って開設した開口(65)にコントロールパネルユニット(１)を嵌め込むだけで、コントロールパネルユニット(１)を確実にヘッドボード(62)に位置合わせでき、例えばボルト(34)、ナット(35)及びビス(33)等からなる固定手段(３)によって、コントロールパネルユニット(１)を確実にヘッドボード(62)に固定できる。
【図面の簡単な説明】
【００１７】
【図１】ベッドのヘッドボードとコントロールパネルユニットの斜視図である。
【図２】コントロールパネルユニットの平面図である。
【図３】コントロールパネルユニットの正面図である。
【図４】図３Ａ−Ａ線に沿う断面図である。
【図５】サイドテーブルとコントロールボックスの斜視図である。
【考案を実施するための形態】
【００１８】
図１は、コントロールパネルユニット(１)と、該コントロールパネルユニットを取り付けるベッド(61)のヘッドボード(62)の周辺を示している。
コントロールパネルユニット(１)は、ユニット基板(２)上に、スイッチ群(４)、時刻表示部(26)、枕灯(20)、読書灯(27)及び間接照明用の発光部(５)を配備して構成される。
【００１９】
ユニット基板(２)は、前板(23)の上端から直角に後方へ天板(22)を延ばしている。前板(23)及び天板(22)は共に横長の長方形であり、全長は同じで、幅長さは前板(23)の方が大である。
実施例のユニット基板(２)は、天板(22)の後端から垂下して前板(23)に対向する後板及び前板(23)の下端から方向に延びて天板(22)に対向する底板は存在しない。従って、１枚の金属板をＬ型に曲げてユニット基板(２)を形成することができる。
【００２０】
図３に示す如く、ユニット基板(２)の前板(23)の上部左寄りに枕灯(20)、上部右寄りに時刻表示部(26)が設けられている。
上記前板(23)の下部にて、スイッチ群(４)が横並びに設けられている。
スイッチ群(４)は、枕灯(20)の下方に位置する、メイン室内灯スイッチ(43)、入口灯スイッチ(44)、壁照明(間接照明)スイッチ(45)、枕灯スイッチ(46)と、時刻表示部(26)の下方に位置する、アラームON-OFFスイッチ(40)、アラームセットスイッチ(41)(42)と、前板(23)の右端寄りに位置する読書灯スイッチ(47)とで構成されている。
【００２１】
前記間接照明用の発光部(５)は、ユニット基板(２)の天板(22)の後部に横長のスリット状開口(25)を設け、該開口(25)を透光板(51)で塞ぎ、透光板(51)の背面に配備した光源(52)とによって構成されている。
【００２２】
実施例の透光板(51)は半透明であり、薄乳白色樹脂板或いはガラス板に梨地加工を施して形成されている。
透光板(51)は、その上面がユニット基板(２)の天板(22)に揃う様に取り付けられている。
【００２３】
実施例の発光部(５)の光源(52)は、透光板(51)の長手方向に沿って略等間隔に配備された複数のLEDライト(53)である。
LEDライト(53)は、上向きに光を発する様に取り付けらけており、実施例のLEDライト(53)は１２０°程度の広角に光を発する。
前記天板(22)の裏面には、スリット状開口(25)に対向して上面が開口した樋状のリフレクター(54)が取り付けられ、全てのLEDライト(53)は該リフレクター(54)内に収容されている。
【００２４】
天板(22)の右端寄りに読書灯(27)が配備されている。
【００２５】
図４に示す如く、ユニット基板(２)の前板(23)の背面には、前板(23)と平行にシャーシ(28)が取り付けられ、該シャーシ(28)上に、前記時刻表示部(26)のドライブ回路基板、スイッチ群(４)の回路基板等の電子部品群(29)が搭載されている。
又、メイン室内灯、入口灯(何れも図示せず)等のコントロールパネルユニット(１)から離れた位置にある照明灯を、上記スイッチ群(４)の回路基板に接続するためのコネクター(図示)もシャーシ(28)上に搭載されている。
【００２６】
コントロールパネルユニット(１)をベッド(61)のヘッドボード(62)に固定するための固定手段(３)は、ユニット基板(２)の内面外周を一周する当り縁部(31)と、前板(23)内面の左右両端から後方に突設したボルト(34)(34)及び該ボルトに螺合するナット(35)(35)、天板(22)の後部両端に開設したビス挿通孔(32)(32)及び該ビス挿通孔に挿通する皿ビス(33)(33)とからなる。
【００２７】
図１に示す如く、ベッド(61)のヘッドボード(62)は中空体であり、天面(63)と前面(64)に跨がる開口(65)を有している。該開口(65)はコントロールパネルユニット(１)の天板(22)と前板(23)とによって囲まれる部分を収容できる大きさであり、該開口(65)の枠状の縁部は全周に亘って枠状の凹段部(66)が形成され、該凹段部(66)は、コントロールパネルユニット(１)のユニット基板(２)の前記当り縁部(31)が殆んど隙間なく嵌まり込み可能であり、凹段部(66)の凹み深さは、ユニット基板(２)の厚みに対応している。
凹段部(66)には、ユニット基板(２)のボルト(34)(34)との対応位置にボルト挿通孔(68)(68)が開設されている。
【００２８】
コントロールパネルユニット(１)をベッド(61)のヘッドボード(62)に取り付けるには、図１に示す如く、ヘッドボード(62)の前面(64)側からコントロールパネルユニット(１)を取付け空間(67)に嵌め込む。このとき、コントロールパネルユニット(１)のボルト(34)(34)をヘッドボード(62)のボルト挿通孔(68)(68)に貫通させる。
コントロールパネルユニット(１)のユニット基板(２)の外周の当り縁部(31)をヘッドボード(62)の凹段部(66)に当て、前記ボルト(34)(34)にヘッドボード(62)の背面側からナット(35)(35)を締め付け、ユニット基板(２)の天板(22)のビス挿通孔(32)(32)にビス(33)(33)を挿通して凹段部(66)に締め込む。
コントロールパネルユニット(１)のユニット基板(２)の天板(22)はヘッドボード(62)の天面(63)に揃い、ユニット基板(２)の前板(23)はヘッドボード(62)の前面(64)に揃う。
【００２９】
上記した様に、発光部(５)の透光板(51)の上面はコントロールパネルユニット(１)の上面に揃い、コントロールパネルユニット(１)の上面は、ヘッドボード(62)の天面(63)に揃っているから、ヘッドボード(62)の天面(63)に本や雑誌等を置くとき、コントロールパネルユニット(１)の存在を気にすることなく、安定して置くことができる。
【００３０】
コントロールパネルユニット(１)の発光部(５)は、光源(52)であるLEDライト(53)が発光することにより、透光板(51)を透してコントロールパネルユニット(１)の上方を照らし、光の一部がヘッドボード(62)に対向する部屋の壁面(図示せず)を照らして、間接照明となる。
実施例のLEDライト(53)はLEDライトとしては広角に発光するが、半透明の透光板(51)で乱反射して更に拡がりのある淡い光となって透光板(51)から出光して、ヘッドボード(62)を押し当てた部屋の壁面を照らして間接照明となる。
【００３１】
上記の如く、コントロールパネルユニット(１)は、該ユニット自身の天板(22)に間接照明用の発光部(５)を具えているから、コントロールパネルユニット(１)の取り付けとは別個にヘッドボード(62)に対して発光部(５)を取り付けるための加工の手間や取付けの手間が省くことができ、コストを低減できる。
【００３２】
発光部(５)の光源(52)はLEDライト(53)であるから、光源(52)の取付けに大きなスペースを必要としない。このため、コントロールパネルユニット(１)を大型化せずに済むので、相手取付け家具(６)に対してデザイン的な制約を少なくできる。
LEDライト(53)は電力消費が少なく、高寿命であるからランニングコストの点でも有利である。
【００３３】
コントロールパネルユニット(１)のユニット基板(２)は、１枚の板を断面Ｌ型に屈曲して形成できるので低コストで製作できる。
【００３４】
コントロールパネルユニット(１)は、スイッチ群(４)の全てのスイッチ(43)(44)(45)(46)(40)(41)(42)(47)が前板(23)に設けられているから、見やすく、操作しやすい。
【００３５】
ベッド(61)のヘッドボード(62)の天面(63)と前面(64)に跨って開設した開口(65)にコントロールパネルユニット(１)を嵌め込むだけで、コントロールパネルユニット(１)を確実にヘッドボード(62)に位置合わせでき、ボルト(34)、ナット(35)及びビス(33)からなる固定手段(３)によって、コントロールパネルユニット(１)を確実にヘッドボード(62)に固定できる。
【００３６】
図５は、コントロールパネルユニット(１)の相手取付け家具(６)がサイドテーブル(60)の場合を示している。
サイドテーブル(60)の天面(63)と前面(64)に跨って前記同様の開口(65)、凹段部(66)が形成されている。
コントロールパネルユニット(１)及び、コントロールパネルユニット(１)の取り付け方法については前記と同様である。
【００３７】
サイドテーブル(60)の背面を部屋の壁面に対向させて配置すれば、発光部(５)からの光の一部を該壁面に当てて、間接照明とすることができる。
【００３８】
本考案のコントロールパネルユニット(１)は、ベッド(61)のヘッドボード(62)やサイドテーブル(60)に限ることはなく、照明スイッチ群や機器スイッチを含むコントロールパネルユニット(１)と、室内の壁面を照らして間接照明とする場合であれば、家具(６)の種類を選ぶことなく実施可能である。
【符号の説明】
【００３９】
１  コントロールパネルユニット
２  ユニット基板
22  天板
23  前板
４  スイッチ群
５  発光部
51  透光板
52  光源
53  LEDライト
６  家具
61  ベッド
62  ヘッドボード
63  天面
64  前面
65  開口
【図１】
0003151865.tif 000003
【図２】
0003151865.tif 000004
【図３】
0003151865.tif 000005
【図４】
0003151865.tif 000006
【図５】
0003151865.tif 000007